(57)【要約】
【課題】　携帯用ハウス玩具の折り畳み家具は、ケースにその一部が固定されて変化に乏しく、固定されないミニチュア家具は倒れ易く又位置ズレも生じ易く、イメージした情景を完成させることが困難な場合があった。本考案は、ミニチュア家具などの玩具を任意に配置して変化に富む遊びが可能であると共に、不用意にミチュア家具などが倒れたり位置ズレしない携帯用ハウス玩具を提供する。
【解決手段】　ケース10と、ケース内に収納される複数のミニチュア玩具31,33とで構成され、ケース本体11とケース蓋体15とがヒンジ19で接続されると共に、ケース本体の底部とケース蓋体の天井部とに板状の固定ボード21を有し、該固定ボードは多数の透孔を有し、前記ミニチュア玩具31,33は下端に突起体39を有し、該突起体39を前記固定ボードの透孔に嵌合させてミニチュア玩具が固定ボードに固定されるようにする。
【選択図】　　図１
0003100062.tif 000002
【実用新案登録請求の範囲】
【請求項１】
　ケースと、ケース内に収納される複数のミニチュア玩具とで構成され、ケースは、ケース本体とケース蓋体とが同一高さの側壁を備え且つケース本体側壁の端縁部とケース蓋体側壁の端縁部とがヒンジで接続されると共に、ケース本体の底部内側及びケース蓋体の天井部内側には、板状にして多数の透孔を備えた固定ボードを有し、該固定ボードの透孔は、縦横に等間隔とした整列状態で配置されており、前記ミニチュア玩具は、下端に１個又は２個の突起体を有し、該突起体を前記固定ボードの透孔に挿入嵌合してミニチュア玩具を固定ボードに固定可能としたことを特徴とする携帯用ハウス玩具。
【請求項２】
　突起体を有するミニチュア玩具は、テレビや机、椅子などの家具の形状をしたミニチュアの他、植木、切株、岩、ブロックなどの造園材料の形状をしたミニチュアであることを特徴とする請求項１に記載の携帯用ハウス玩具。
【請求項３】
　ケースに収納したミニチュア玩具には、突起体を有するミニチュア玩具の他、裏面に凹状溝部を備えた突出部を有し、ケースを開いたときにケース本体やケース蓋体の側壁の端縁部を突出部の凹状溝部に挿入嵌合させてケースの側壁に固定可能としたミニチュア玩具を含むことを特徴とする請求項１又は請求項２に記載の携帯用ハウス玩具。
【請求項４】
　アニメーションの主人公などの登場人物や動物のフィギアを付属させたことを特徴とする請求項１乃至請求項３の何れかに記載の携帯用ハウス玩具。
【考案の詳細な説明】
【技術分野】
【０００１】
　本考案は、箱型ケースの内部に室内空間や屋外の情景などを組立てて遊ぶハウス玩具であって、ケースを閉じることにより携帯が可能なハウス玩具に関するものである。
【背景技術】
【０００２】
　今日、箱型のケースの内部に室内の情景を思わせる絵などを描くと共に、ケースを開いたとき、折り畳まれた家具などが開かれて立体的な室内空間を形成し、付属するミニチュアの家具などを配置して遊ぶハウス玩具が提供されている（例えば特許文献１）。
【０００３】
　このハウス玩具は、ケースを閉じ、ケース内の空間にミニチュア家具などを収納して携帯することができ、遊ぶときにはケースを開くことによって空間を拡大すると共に、立体的空間を形成して遊ぶことができるものである。
　又、箱型のケースを開いたとき、内部に人気アニメーションの家や基地、又は戦場などの空間が設定されており、主人公などのフィギアを付属させている携帯可能なハウス玩具もある。
【特許文献１】実開昭６０−７３６００号公報
【考案の開示】
【考案が解決しようとする課題】
【０００４】
　前述のハウス玩具は、ケースを開いて立体的空間を形成することができるも、折り畳みの家具は、ケースにその一部が固定されており、付属するミニチュアの家具などを並べて変化を与えることができるようにされているも、このミニチュア家具などは、容易に倒れる場合や位置ズレが生じる場合があり、イメージした情景の空間を完成させることが困難な場合があった。
【０００５】
　又、人気アニメーションの家や基地など空間を設定したハウス玩具は、主人公などのフィギアを空間に配置して遊ぶことはできるも、主人公の背景となる場面は設定された情景に固定されており、変化に欠ける欠点があった。
　本考案は、このような欠点を排除し、ミニチュア家具などの玩具を任意に配置して変化に富む遊びが可能であると共に、不用意にミチュア玩具が倒れたり位置ズレしないハウス玩具を提供するものである。
【課題を解決するための手段】
【０００６】
　本考案は、ケースと、ケース内に収納される複数のミニチュア玩具とで構成され、ケースは、ケース本体とケース蓋体とが同一高さの側壁を備え且つケース本体側壁の端縁部とケース蓋体側壁の端縁部とがヒンジで接続されると共に、ケース内側であるケース本体の底部とケース蓋体の天井部とに板状の固定ボードを有し、該固定ボードは縦横に等間隔として整列させた多数の透孔を有し、前記ミニチュア玩具は、下端に１個又は２個の突起体を有し、該突起体は前記固定ボードの透孔に挿入嵌合してミニチュア玩具を固定ボードに固定可能とした携帯用ハウス玩具とするものである。
【０００７】
　このミニチュア玩具としては、テレビや机、椅子などの家具のミニチュアの他、植木、切株、岩、ブロックなどの造園材料のミニチュアを含むものである。
　また、裏面に凹状溝部を備えた突出部を有し、ケースを開いたときにケース本体やケース蓋体の側壁端縁部を突出部の凹状溝部に挿入嵌合させてケースの側壁に固定するミニチュア玩具を追加することもある。
【０００８】
　更に、アニメーションの主人公などの登場人物や動物のフィギアを付属させることもある。
【考案の効果】
【０００９】
　本考案は、ケースがヒンジで接続されるケース本体とケース蓋体とで構成され、このケース本体側壁とケース蓋体側壁とが同一高さとされているため、蓋体を開くとケース本体や蓋体の側壁に囲まれた同一深さの空間を形成することができ、ケース本体底部とケース蓋体天井部との内側には固定ボードを有しているため、開いたケース本体及びケース蓋体による空間の底面に、等間隔に配置された多数の透孔による凹孔を形成することができる。
【００１０】
　そして、ミニチュア玩具の下端には突起体を設けているため、この突起体を固定ボードの透孔による凹孔に差し込むことにより、ケース本体とケース蓋体との内部空間の所要位置にミニチュア玩具を固定することができ、ケースが不用意に揺すられても、ミニチュア玩具の位置がズレたり、倒れたりすることを防止できる。
【００１１】
　このように、固定ボードには縦横に等間隔として整列させた状態に多数の透孔を配置しているため、ミニチュア玩具を任意の位置に配置してイメージした室内や屋外の空間を実現することができ、変化に富んだ情景を造ることができるため、遊びながら想像力を豊かとすることができ、突起体によりミニチュア玩具を固定しているため、不用意にミニチュア玩具の位置がズレて造った空間が崩れることが無く、飽きることの無いハウス玩具を提供することができる。
【００１２】
　尚、ミニチュア玩具の形態を、家具の他、植木やブロックなどの造園材料の形状とすることにより、室内の情景をケース内の空間に想像するのみでなく、屋外の情景なども想像して形成することができ、変化に幅のある想像を行って遊ぶことができる。
【００１３】
　又、凹状溝部を備えた突出部を有するミニチュア玩具は、ケースの本体側壁又は蓋体側壁に固定することができ、ケースから一部を突出させることにより、他のケースと連続した情景を造ることができるため、一層幅の広い想像力を養うことができる。
【００１４】
　そして、フィギアを付属させたハウス玩具は、ケース本体やケース蓋体の内側に形成した空間に、フィギアを配置させたり移動させたりして想像や空想を変化させて楽しむことができる。
【考案を実施するための最良の形態】
【００１５】
　本考案に係る携帯用ハウス玩具は、図１及び図２に示すように、ヒンジ19で接続されたケース本体11及びケース蓋体15の内側に多数の透孔を備えた固定ボード21を各々張付け、この固定ボード21の透孔に差し込む突起体39を設けたミニチュア玩具をケース10内に収納するものである。
【実施例】
【００１６】
　本考案に係る携帯用ハウス玩具は、図１に示すように、ヒンジ19により接続されたケース本体11の内側空間とケース蓋体15の内側空間との両空間に、家具や自然の情景を造り出す造園用の置物などのミニチュア玩具、及び、動物やアニメーションの主人公などのフィギア35を配置して遊ぶものである。
【００１７】
　このケース10は、図３に示されるように、ケース蓋体15を閉じたとき、周囲の角部に丸味を持たせた略直方体の形状とされ、平板上の本体底部や蓋体天井部の周りに略垂直な側壁13,16を有し、本体側壁13の高さと蓋体側壁16の高さを同一高さとすると共に、図２に示したように、本体側壁13の端縁部である上端近くと蓋体側壁16の端縁部である閉じたときの下端近くとをヒンジ19により接続してケース蓋体15をケース本体11と一体とし、ケース本体11の底部とケース蓋体15の天井部とには、内側に固定ボード21を取付けているものである。
【００１８】
　この固定ボード21は、厚さ数ミリメートルの平板状とされる樹脂板であって、縦及び横方向に等間隔に並べた多数の透孔を有するものであり、この固定ボード21を本体底部の内側と蓋体天井部の内側とに取付けることにより、ケース10を開いたとき、ケース本体11の側壁13に周囲を囲まれた空間の底部に多数の透孔による凹孔を備えた平面を形成すると共に、ケース蓋体15の側壁16に囲まれた空間の底部にも多数の透孔による凹孔を備えた平面を形成するものである。
【００１９】
　そして、このケース10に収納するミニチュア玩具としては、図４に示すような室内に置かれる家具の形状をしたミニチュア家具31や、図５に示すような屋外に置かれる植木やブロックの形状、又は、自然の情景を形成する岩や繁みなどの造園材料の形状としたミニチュア造園材料33、更には、図６に示す橋渡し材41、図７に示す連結具51などとするものであり、更に、図８に示す如きアニメーションの主人公をデザインしたフィギア35も付属させて収納することがある。
【００２０】
　このミニチュア玩具としてのミニチュア家具31は、テーブルや椅子、机、テレビなどの家具の形状を模したものであり、脚の先端など、接地個所に相当する下端には１個又は２個の突起体39を備えるものであって、この突起体39は、固定ボード21の透孔に嵌合し得る大きさとするものである。
【００２１】
　尚、突起体39の断面形状と透孔の形状とを同一形状とする場合のみでなく、突起体39を丸棒形状として透孔を角形とし、突起体39の直径が透孔の内接円を形成する大きさとして、突起体39を透孔に差し込み可能とすると共に突起体39の外周面の一部が透孔の内面に接するようにする場合、又、突起体39を角柱形状とし、この角形断面の外接円となる円形の透孔を固定ボード21に多数配置することもある。
【００２２】
　又、ミニチュア玩具としてのミニチュア造園材料33は、ブロックや岩、切株、植木など、庭や自然環境の一部を再現する造園材料の形状とされ、このミニチュア造園材料33も底面に１個又は２個の突起体39を備え、この突起体39も固定ボード21の透孔に挿入嵌合し得る大きさとするものである。
【００２３】
　従って、ミニチュア家具31やミニチュア造園材料33などのミニチュア玩具を、各々の突起体39を固定ボード21の透孔に差し込むことによって位置を固定し、ミニチュア玩具を本体底部の固定ボード21や蓋体天井部の固定ボード21の適宜位置に配置することによって、ケース本体11の内側空間やケース蓋体15の内側空間に室内又は屋外の仮想空間を形成することができる。
【００２４】
　そして、図６に示したミニチュア玩具としての橋渡し材41は、上板部43と上板部43の両側に配置される脚部45とを有し、上板部43はヒンジ19を介した本体側壁13と蓋体側壁16との厚みよりも大きい幅を備え、両側の脚部45はケース本体側壁13やケース蓋体側壁16の高さに略等しい高さを有し、この両脚部45を各々ケース本体11の空間とケース蓋体15の空間とに入れて上板部43でヒンジ19の一部又は全部を覆うことができるようにするものである。
【００２５】
　従って、この橋渡し材41を用いれば、ケース本体11内の空間とケース蓋体15内の空間とを連続させるようにする仮想空間を形成でき、ケース本体11内の空間とケース蓋体15内の空間とが各々本体側壁13および蓋体側壁16により区切られていても、ケース本体11内の仮想空間とケース蓋体15内の仮想空間とを連続させて仮想空間を広くすることができる。
【００２６】
　尚、橋渡し材41は、図６に示したような平板状の上板部43と階段状の脚部45とによる形状に限ることなく、脚部45を梯子やスロープとする場合、又、上板部43を湾曲させて上板部43及び脚部45を太鼓橋形状としたり、橋渡し材41の全体形状をジャングルジムの形状や、ビル又はドームの形状などとすることもある。
【００２７】
　又、図７に示したミニチュア玩具としての連結具51は、本体部53の下面に凹状溝部57を備えた突出部55を有し、この凹状溝部57は、ケース本体11の側壁13やケース蓋体15の側壁16の厚みに略一致した幅の凹状溝とし、この凹状溝部57にケース本体11の側壁13やケース蓋体15の側壁16の端縁部を挿入するようにして、当該連結具51を本体側壁13や蓋体側壁16の上端に固定し得るようにするものである。
【００２８】
　そして、図７に示すように、凹状溝部57を備えた突出部55を２個有する連結具51は、図９に示すように、２個のケース10を相互に固定するように連結し、両ケース10,10内の仮想空間を連続させて一層大きな仮想空間を形成することができるものである。
【００２９】
　尚、凹状溝部57は、１つの突出部55に相互に間隔を設けて２つを配置する場合もあり、又、連結具51の底面には凹状溝部57を１つだけ設け、連結具51を本体側壁13又は蓋体側壁16の端縁部である上端に固定することはできるも、２つのケース10を相互に固定することなく、単に１つのケース10の本体側壁13又は蓋体側壁16の端縁部に固定し、ケース10の本体側壁13又は蓋体側壁16からケース10の外部に連結具51の一部を突出させ、他のケース10を当該ケース10に隣接させるように並べることにより、連結具51によって１つのケース10の仮想空間と他のケース10の仮想空間とに連続性を持たせるようにすることもある。
【００３０】
　そして、この連結具51の形状は、図７に示すように、丸太を並べた形状に限るものでなく、吊り橋などの形状とすることもある。
　このように、ミニチュア玩具をケース本体11の内部やケース蓋体15の内部、更には、本体側壁13や蓋体側壁16の縁縁部に固定して様々な情景の仮想空間を形成し、更に、図８に示したような付属するフィギア35を仮想空間内の適宜位置に配置することにより、想像を豊かとして遊ぶことができ、ケース10を不用意に揺らしても仮想空間が崩れることが無く、楽しく遊び続けることができる。
【産業上の利用可能性】
【００３１】
　本考案は、ケースの本体底部や蓋体天井部の内側に設けられた固定ボードに突起体で固定するミニチュア玩具を有する携帯用ハウス玩具であるから、開いたケースの内部にミニチュア玩具を配置固定して仮想空間を形成し、遊びながら想像力を豊かとすることができ、情操教育に適した玩具を提供することができるものである。
【図面の簡単な説明】
【００３２】
【図１】本考案に係る携帯用ハウス玩具の使用状態を示す図。
【図２】本考案に係る携帯用ハウス玩具のケースを開いた状態を示す図。
【図３】本考案に係る携帯用ハウス玩具のケースを閉じた状態を示す図。
【図４】本考案に係る携帯用ハウス玩具のミニチュア家具の例を示す図。
【図５】本考案に係る携帯用ハウス玩具のミニチュア造園材料の例を示す図。
【図６】本考案に係る携帯用ハウス玩具の橋渡し材の例を示す図。
【図７】本考案に係る携帯用ハウス玩具の連結具の例を示す図。
【図８】本考案に係る携帯用ハウス玩具に付属させるフィギアの例を示す図。
【図９】本考案に係る携帯用ハウス玩具の使用状態の他の例を示す図。
【符号の説明】
【００３３】
　１０　ケース
　１１　ケース本体　　　　　　　　　　　１３　ケース本体側壁
　１５　ケース蓋体　　　　　　　　　　　１６　ケース蓋体側壁
　１９　ヒンジ
　２１　固定ボード
　３１　ミニチュア家具　　　　　　　　　３３　ミニチュア造園材料
　３５　フィギア　　　　　　　　　　　　３９　突起体
　４１　橋渡し材
　４３　上板部　　　　　　　　　　　　　４５　脚部
　５１　連結具
　５３　本体部　　　　　　　　　　　　　５５　突出部
　５７　凹状溝部
【図１】
0003100062.tif 000003
【図２】
0003100062.tif 000004
【図３】
0003100062.tif 000005
【図４】
0003100062.tif 000006
【図５】
0003100062.tif 000007
【図６】
0003100062.tif 000008
【図７】
0003100062.tif 000009
【図８】
0003100062.tif 000010
【図９】
0003100062.tif 000011